(57)【特許請求の範囲】
【請求項１】
（ａ）アルキルアルコキシサルフェート、アルキルサルフェートおよびそれらの混合物からなる群から選択される、アニオン性界面活性剤、１０〜６５重量％、
（ｂ）オクチルアミン、０．５〜４重量％、
（ｃ）３０重量％未満の量の水
（ｄ）ノニオン性界面活性剤、並びに、
（ｅ）アミラーゼ、プロテアーゼおよびそれらの混合物からなる群より選ばれてなる酵素、
を含んでなり、
アニオン性界面活性剤対ノニオン性界面活性剤の重量比が５：１〜２：１、である、液体洗剤組成物。
【請求項２】
ノニオン性界面活性剤が、ポリヒドロキシ脂肪酸アミド、アミンオキシドおよびそれらの混合物からなる群より選ばれてなる、請求項１に記載の液体洗剤組成物。
【請求項３】
ノニオン性界面活性剤が、融点が３０〜９０℃の範囲のアミンオキシドを含んでなる、請求項１に記載の液体洗剤組成物。
【請求項４】
布帛を、請求項１に記載の液体洗剤組成物に接触させる工程を含む、布帛の前処理方法。
【請求項５】
エチレンジアミン四メチレンホスホン酸、ジエチレントリアミン五メチレンホスホン酸、およびそれらの混合物からなる群より選ばれてなる、アミノポリホスホン酸塩、さらに含んでなる、請求項１に記載の液体洗剤組成物。
【請求項６】
１〜３重量％のカチオン性界面活性剤をさらに含んでなる、請求項１に記載の液体洗剤組成物。
【発明の詳細な説明】
技術分野
本発明は、アミンから選択された界面活性剤を含む洗剤組成物に関する。更に詳細には、本発明は、アルキルアルコキシル化サルフェートおよびアルキルサルフェートからなる群から選択されたアニオン性界面活性剤を含み、更に特定の第一級アミンおよび／または第三級アミンを含む洗剤組成物に関する。
背景技術
布帛（布地）の洗濯のようなクリーニング目的に用いられる洗剤組成物には、普通は多種多様な界面活性剤が用いられている。
典型的な洗濯物中の布帛から、様々な汚れおよび染みを除去する界面活性剤の能力は、洗剤の性能の評価において非常に重要である。残念なことには、各種の性能基準に見合うそれぞれの界面活性剤の相対的能力は、特に補助界面活性剤の存在によって変化する。
線状アルキルベンゼンスルホネート界面活性剤（ＬＡＳ）を部分的または完全に置換することに対する最近の趨勢により、洗剤処方者らはその処方を異なる界面活性剤で再バランスを採ろうとしている。例えば、第四級アンモニウム塩は無ＬＡＳ処方物における油で汚れたクリーニング性能を高めるのには余り効率的ではない。
従って、ＬＡＳを含む洗剤と同等な最適洗浄力を提供することができる界面活性剤系を利用できるようにする性能および適応性が強く望まれている。
前記の目的は、アルキルアルコキシル化サルフェートおよびアルキルサルフェートからなる群から選択されたアニオン性界面活性剤を含んでなる界面活性剤系であって、第一級アミンまたは第三級アミンの群から選択される補助界面活性剤をさらに含んでなる界面活性剤系によって満足された。
意外なことには、前記界面活性剤系を含む洗剤組成物は、ＬＡＳを含む洗剤と同等な洗浄力を示すことが見いだされた。
更に、本発明によるある種の第一級アミンおよび第三級アミンを少量含むことにより、効率的かつ適合し得る起泡抑制系が構成されることを見いだした。この追加の利点により、アミンを二重の機能、例えば界面活性剤および起泡抑制剤に使用することができ、従って濃縮した液体洗剤の処方物を容易に得ることができる。
前記界面活性剤系を用いて処方した液体洗剤組成物は、液体洗剤組成物が、前処理の際などに布帛と直接接触している場合には特に有用である。
アミンは、液体洗剤組成物の技術分野において記載されている。欧州特許第１６０  ７６２号明細書、欧州特許第１３７  ６１５号明細書および欧州特許第１３７  ６１６号明細書には、シクロヘキシルアミンを含んでなる液体洗剤が開示されている。欧州特許第１７７  １６５号明細書には、アニオン性界面活性剤、セルラーゼ、および多種多様な第一級、第二級、第三級および第四級アミンを含んでなる洗剤組成物が開示されている。欧州特許第１１  ３４０号明細書には、第三級アミンおよび粘土を含んでなる洗濯洗剤組成物による柔軟化が開示されている。ドイツ国特許第３２  ０７  ４８７号明細書、英国特許第２  ０９４  ８２６号明細書、英国特許第２  ０９５  ２７５号明細書および欧州特許第１３７  ３９７号明細書には、アニオン性界面活性剤および第四級アミンを含んでなる組成物が開示されている。欧州特許第１２０  ５２８号明細書には、アニオン性界面活性剤ならびに第三級アミンを含んでなる組成物が開示されている。欧州特許第２６  ５２８号明細書および欧州特許第２６  ５２９号明細書には、アニオン性界面活性剤および第四級アミンを含んでなる組成物が開示されている。(1)本発明で用いられる種類の第一級アミンまたは第三級アミンを、(2)オレイルサルコシネートと組み合わせて含む洗剤組成物は、１９９４年６月１日出願の米国特許出願連続番号第０８／２５２，１２７号明細書に開示されている。本発明の組成物は、オレイルサルコシネート界面活性剤を含むことも含まないこともある。
発明の開示
本発明による洗剤組成物は、アルキルアルコキシルサルフェートおよびアルキルサルフェートの群から選択されたアニオン性界面活性剤を含んでなり、更に特定の第一級アミンおよび／または第三級アミンを含むことを特徴とする。
洗剤組成物は、前記のような界面活性剤系を好ましくは少なくとも５重量％、更に好ましくは１０重量％〜６５重量％、最も好ましくは１５重量％〜４０重量％を含んでいる。
アミン補助界面活性剤対アルキルアルコキシル化サルフェートおよびアルキルサルフェートの重量比は、好ましくは１：１〜１：２５０であり、更に好ましくは１：５〜１：１００であり、最も好ましくは１：１０〜１：４０である。
発明を実施するための最良の形態
本発明による洗剤組成物は、アルキルアルコキシサルフェートおよびアルキルサルフェートの群から選択されるアニオン性界面活性剤を含んでいる。
アルキルアルコキシル化サルフェートおよび／またはアルキルサルフェート
本発明のアルキルアルコキシル化サルフェート界面活性剤は、
式ＲＯ（Ａ）ｍＳＯ３Ｍ  ［前記式中、ＲはＣ10〜Ｃ24アルキル成分、好ましくはＣ12〜Ｃ18アルキルまたはヒドロキシルアルキル、更に好ましくはＣ12〜Ｃ15アルキルまたはヒドロキシルアルキルを有する未置換Ｃ10〜Ｃ24アルキルまたはヒドロキシアルキル基であり、Ａはエトキシまたはプロポキシ単位であり、ｍは０より大きく、典型的には約０．５〜６であり、更に好ましくは約０．５〜約３であり、ＭはＨであるか、または金属カチオン（例えば、ナトリウム、カリウム、リチウム、カルシウム、マグネシウムなど）、アンモニウムまたは置換アンモニウムカチオンであることができるカチオンである］を有する水溶性塩または酸である。アルキルエトキシル化サルフェート並びにアルキルプロポキシル化サルフェートが、ここでは挙げられる。置換アンモニウムカチオンの具体例としては、エタノール−、トリエタノール−、メチル−、ジメチル−、トリメチル−アンモニウムカチオン、およびテトラメチルアンモニウムのような第四級アンモニウムカチオンおよびジメチルピペリジニウムカチオン、およびエチルアミン、ジエチルアミン、トリエチルアミン、それらの混合物のようなアルキルアミンから誘導されるものなどが挙げられる。代表的な界面活性剤は、Ｃ12〜Ｃ15アルキルポリエトキシレート
（１．０）サルフェート（Ｃ12〜Ｃ15Ｅ（１．０）Ｍ）、Ｃ12〜Ｃ15アルキルポリエトキシレート（２．２５）サルフェート（Ｃ12〜Ｃ15Ｅ（２．２５）Ｍ）、Ｃ12〜Ｃ15アルキルポリエトキシレート（３．０）サルフェート（Ｃ12〜Ｃ15Ｅ（３．０）Ｍ）、Ｃ12〜Ｃ15アルキルポリエトキシレート（４．０）サルフェート（Ｃ12〜Ｃ15Ｅ（４．０）Ｍ）であり、但しＭはナトリウムおよびカリウムから好都合に選択されるものである。
本発明のアルキルサルフェート界面活性剤は、式ＲＯＳＯ３Ｍ  ［前記式中、Ｒは  Ｃ10〜Ｃ24ヒドロカルビルであるのが好ましく、好ましくはＣ10〜Ｃ18アルキル成分を有するアルキルまたはヒドロキシアルキル、更に好ましくはＣ12〜Ｃ15アルキルまたはヒドロキシアルキルであり、ＭはＨであるか、またはカチオン、例えば、アルカリ金属カチオン（例えば、ナトリウム、カリウム、リチウム）、またはアンモニウムまたは置換アンモニウム（例えば、メチル−、ジメチル−、およびトリメチルアンモニウムカチオン、およびテトラメチル−アンモニウムおよびジメチルピペリジニウムカチオンのような第四級アンモニウムカチオン、およびエチルアミン、ジエチルアミン、トリエチルアミン、およびそれらの混合物のようなアルキルアミンから誘導される第四級アンモニウムカチオンなど）である］を有する水溶性塩または酸である。
アミン
本発明で用いられるアミンは、アニオン性界面活性剤と共に混合ミセルを形成すると考えられ、かつアルキル基のカチオン鎖長がＣ６以上である第一級アミンまたは第三級アミンを指す。
本発明で用いるのに好適な第一級アミンとしては、式Ｒ１Ｒ２Ｒ３Ｎ  （前記式中、Ｒ１およびＲ２は両方共Ｈであり、Ｒ３はＣ４〜Ｃ18、好ましくはＣ６〜Ｃ12アルキル鎖であり、Ｒ３のアルキル鎖は直鎖または分岐していてもよく、１２個までのエチレンオキシド残基が中間に挿入されていてもよく、最も好ましくは５個までのエチレンオキシド残基が中間に挿入されていてもよい）によるアミンが挙げられる。上式による好ましいアミンは、ｎ−アルキルアミンである。本発明で用いるのに好適なアミンは、１−ヘキシルアミン、１−オクチルアミン、ラウリルアミン、パルミチルアミン、ステアリルアミン、オレイルアミン、ヤシ油アルキルアミン、獣脂アルキルアミンから選択することができる。
他の好適な第一級アミンとしては、式Ｒ１Ｒ２Ｒ３Ｎ  （前記式中、Ｒ１およびＲ２は両方共Ｈであり、Ｒ３はＲ４Ｘ（ＣＨ２）ｎであり、Ｘは−Ｏ−、−Ｃ（Ｏ）ＮＨ−または−ＮＨ−であり、Ｒ４はＣ４〜Ｃ18、好ましくはＣ６〜Ｃ12アルキル鎖であり、Ｒ４は分岐していてもまたは直鎖状でもよく、ｎは１〜５である）によるアミンが挙げられる。上式による好ましいアミンは、３−イソプロポキシプロピルアミン、３−（２−メトキシエトキシ）−プロピルアミンおよび２−（２−アミノエトキシ）−エタノール、Ｃ８〜Ｃ10オクチルオキシプロピルアミン、２−エチルヘキシルオキシプロピルアミン、ラウリルアミドプロピルアミンおよびココアミドプロピルアミンである。
本発明で用いるのに好適な第三級アミンとしては、式Ｒ１Ｒ２Ｒ３Ｎ  （前記式中、Ｒ１およびＲ２は両方共Ｈではなく、Ｒ１およびＲ２はＣ１〜Ｃ８アルキル鎖であるか、または
0004063866.tif 000002
であり、但しｎは２〜４であり、ｘは１〜６であり、
Ｒ３はＣ４〜Ｃ18、好ましくはＣ６〜Ｃ12アルキル鎖であり、またはＲ３はＲ４Ｘ（ＣＨ２）ｎであり、但し、Ｘは−Ｏ−、−Ｃ（Ｏ）ＮＨ−または−ＮＨ−であり、Ｒ４はＣ４〜Ｃ18であり、ｎは１〜５であり、Ｒ５はＨであるか、またはＣ１〜Ｃ２アルキルである）を有するアミンである、第三級アミンが挙げられる。
Ｒ３、Ｒ４は、好ましくはＣ６〜Ｃ12アルキル鎖であり、直鎖状または分岐していてもよく、Ｒ３アルキル鎖は１２個までのエチレンオキシド残基が中間に挿入されていてもよく、最も好ましくは５個までのエチレンオキシド残基が中間に挿入されていてもよい。
本発明で用いる好適な第三級アミンとしては、ヤシ油アルキルジメチルアミン、ジメチルオレイルアミン、ヘキシルデシルトリス（エチレンオキシ）ジメチルアミン、獣脂アルキルビス（２−ヒドロキシエチル）アミン、ステアロイルビス（２−ヒドロキシエチル）アミン、およびオレイルビス（２−ヒドロキシエチル）アミンが挙げられる。
前記の総てのアミンの内、好ましい材料は、ADOGENという商品名で発売されているトリアルキルアミン、ARMEENという商品名で発売されている長鎖アルキルジメチルアミン、およびETHOMEENという商品名で発売されているエトキシル化アミンである。本発明の組成物に用いるのに最も好ましいアミンは、１−ヘキシルアミン、１−オクチルアミン、１−デシルアミン、１−ドデシルアミンである。臭気特性について特に望ましいものは、ｎ−ドデシルジメチルアミン（ARMEEN DM12D）、およびビスヒドロキシエチルヤシ油アルキルアミン（ETHOMEEN C/12、BEROL 307）、およびオレイルアミンの７度のエトキシル化物（BEROL 28）、ラウリルアミドプロピルアミンおよびココアミドプロピルアミンである。
理論によって限定されるものではないが、アミン補助界面活性剤とアニオン性界面活性剤とは、本発明において油／水界面での界面活性剤のパッキングを容易にする複合体を形成することによって、界面張力を低下させかつ洗浄力を向上させるものと考えられる。アミン界面活性剤は、生成物中では少なくとも部分的にプロトン獲得し、従って洗浄中にはアニオン性界面活性剤と錯体形成することができる正に帯電した種を形成することができる。
本発明のもう一つの態様は、ある種の本発明の第一級アミンおよび／または第三級アミンの少量は、これを用いて処方した洗剤組成物の起泡を抑制することを意外にも見いだしたことに関する。
起泡を抑制するのに用いられるアミンの量は、洗剤組成物の０．１〜１０重量％、好ましくは０．１〜５重量％、最も好ましくは０．５〜４重量％である。
洗剤成分
本発明のもう一つの態様では、洗剤成分と混合した本発明の界面活性剤系を含んでなる液体洗剤組成物が提供される。広汎な界面活性剤を、本発明の洗剤組成物に用いることができる。本発明による洗剤組成物は、好ましくは線状アルキルベンゼンスルホネート界面活性剤を実質的に含まない界面活性剤系を含んでなる。
アニオン性、ノニオン性、両性および双性イオン性のクラス、およびこれらの界面活性剤の種類の典型的なリストは、１９７２年５月２３日にNorrisに発行された米国特許第３，６６４，９６１号明細書に記載されている。
用いることができる他の好適なアニオン性界面活性剤は、「The Journal of the American Oil Chemists Society」, 52(1975), pp. 323-329に記載のガス状ＳＯ３でスルホン化したＣ８〜Ｃ20カルボン酸（すなわち、脂肪酸）の線状エステルなどのアルキルエステルスルホネート界面活性剤である。好適な出発材料としては、獣脂、ヤシ油などから誘導されるような天然脂肪族物質が挙げられる。
好ましくはアルキルエステルスルホネート界面活性剤、特に洗濯用途用の界面活性剤は、構造式
Ｒ３−ＣＨ（ＳＯ３Ｍ）−Ｃ（Ｏ）−ＯＲ４
（前記式中、Ｒ３はＣ８〜Ｃ20ヒドロカルビル、好ましくはアルキル、であるか、またはその組み合わせであり、Ｒ４はＣ１〜Ｃ６ヒドロカルビル、好ましくはアルキルであるか、またはその組み合わせであり、Ｍはアルキルエステルスルホネートと水溶性塩を形成するカチオンである）のアルキルエステルスルホネート界面活性剤を包含する。好適な塩形成カチオンとしては、ナトリウム、カリウムおよびリチウムのような金属、およびモノエタノールアミン、ジエタノールアミン、およびトリエタノールアミンのような置換または未置換アンモニウムカチオンが挙げられる。好ましくは、Ｒ３はＣ10〜Ｃ16アルキルであり、Ｒ４はメチル、エチルまたはイソプロピルである。特に好ましいものは、Ｒ３がＣ10〜Ｃ16アルキルであるメチルエステルスルホネートである。
洗濯用に用いられる他のアニオン性界面活性剤を、本発明の洗濯洗剤組成物に包含させることもできる。これらは、石鹸、Ｃ８〜Ｃ22第一級または第二級アルカンスルホン酸塩、Ｃ８〜Ｃ24オレフィンスルホン酸塩、例えば、英国特許第１，０８２，１７９号明細書に記載されているようなアルカリ土類金属クエン酸塩の熱分解生成物のスルホン化によって製造されるスルホン化ポリカルボン酸塩、Ｃ８〜Ｃ24アルキルポリグリコールエーテル硫酸塩（エチレンオキシド１０モルまでを含む）（例えば、ナトリウム塩、カリウム塩、アンモニウム塩、ならびにモノ−、ジ−およびトリエタノールアミン塩のような置換アンモニウム塩）、アルキルグリセロールスルホネート、脂肪族アシルグリセロールスルホネート、脂肪族オレイルグリセロールサルフェート、アルキルフェノールエチレンオキシドエーテルサルフェート、パラフィンスルホネート、アルキルホスネート、アシルイセチオネートのようなイセチオネート、Ｎ−アシルタウレート、アルキルスクシナメート（alkyl succinamates）およびスルホスクシネート、スルホコハク酸のモノエステル（特に、飽和および不飽和Ｃ12〜Ｃ18モノエステル）、およびスルホコハク酸のジエステル（特に、飽和および不飽和Ｃ６からＣ12ジエステル）、アルキルポリグルコシドのサルフェートのようなアルキルポリサッカライドのサルフェート（ノニオン性の非硫酸化化合物は、以下に記載される）、および式
ＲＯ（ＣＨ２ＣＨ２Ｏ）ｋ−ＣＨ２ＣＯＯ−Ｍ＋  （前記式中、ＲはＣ８〜Ｃ22アルキルであり、ｋは０〜１０の整数であり、Ｍは可溶性の塩形成カチオンである）を有するようなアルキルポリエトキシカルボキシレートを挙げることができる。ロジンおよび水酸化ロジンのような樹脂酸および水素化樹脂酸、およびトール油に含まれるかまたはトール油から誘導される樹脂酸および水素化樹脂酸も好適である。他の例は「界面活性剤および洗剤（Surface Active Agents and Detergents）」（第Ｉ巻および第II巻、Schwartz, Perry and Berch著）に記載されている。このような多種多様な界面活性剤は、１９７５年１２月３０日にLaughlin et al. 発行された米国特許第３，９２９，６７８号明細書、第２３欄、５８行目〜第２９欄、２３行目にも概括的に開示されている（前記特許明細書の内容は、その開示の一部として本明細書に引用される）。
本発明の洗濯洗剤組成物は、本発明に含まれるときには、典型的には、このようなアニオン性界面活性剤を約１重量％〜約４０重量％、好ましくは約５重量％〜約２５重量％含む。
本発明で用いられるノニオン性界面活性剤の一つの種類は、エチレンオキシドと疎水性残基との縮合物であって、平均親水性−親油性バランス（ＨＬＢ）が８〜１７、好ましくは９．５〜１４、更に好ましくは１２〜１４の範囲である界面活性剤を提供するものである。疎水性（親油性）残基は脂肪族または芳香族性のものでよく、特定の疎水性基と縮合するポリオキシエチレン基の長さを容易に調節して、親水性および疎水性要素の間で所望な程度のバランスを有する水溶性化合物を生成することができる。
この種の特に好ましいノニオン性界面活性剤は、アルコール１モル当たりエチレンオキシド３〜１２モルを含むＣ９〜Ｃ15第一級アルコールエトキシレートであり、特にアルコール１モル当たりエチレンオキシド５〜８モルを含むＣ12〜Ｃ15第一級アルコールである。
ノニオン性界面活性剤のもう一つの種類は、一般式
ＲＯ（ＣｎＨ2nＯ）ｔＺｘ
（前記式中、Ｚはグルコース由来の残基であり、Ｒは１２〜１８個の炭素原子を有する飽和の疎水性アルキル基であり、ｔは０〜１０であり、ｎは２または３であり、ｘは１．３〜４である）を有するアルキルポリグルコシド化合物であり、この化合物は１０％未満の未反応脂肪族アルコール、および５０％未満の短鎖アルキルポリグルコシドを含んでいる。この種の化合物およびそれらの洗剤での使用は、ＥＰ−Ｂ０  ０７０  ０７７号、０  ０７５  ９９６号および０  ０９４  １１８号明細書に開示されている。
ノニオン性界面活性剤として極めて好適なものは、式
Ｒ２−Ｃ（Ｏ）−Ｎ（Ｒ１）−Ｚ
（前記式中、Ｒ１はＨであるか、またはＲ１はＣ１〜４ヒドロカルビル、２−ヒドロキシエチル、２−ヒドロキシプロピルであるかまたはそれらの混合物であり、Ｒ２はＣ５〜31ヒドロカルビルであり、Ｚは線状ヒドロカルビル鎖に少なくとも３個のヒドロキシルが直接結合した鎖を有するポリヒドロキシヒドロカルビルである）を有するポリヒドロキシ脂肪酸アミド界面活性剤、またはそのアルコキシル化誘導体である。好ましくは、Ｒ１はメチルであり、Ｒ２はヤシ油アルキルまたはその混合物のような直鎖状Ｃ11〜15アルキルまたはアルケニル鎖であり、Ｚは還元的アミノ化反応におけるグルコース、フルクトース、マルトース、ラクトースのような還元糖から誘導される。
極めて好ましいノニオン性界面活性剤は、アミンオキシド界面活性剤である。本発明の組成物は、一般式Ｉ
Ｒ１（ＥＯ）ｘ（ＰＯ）ｙ（ＢＯ）ｚＮ（Ｏ）（ＣＨ２Ｒ′）２・ｑＨ２Ｏ  (I)によるアミンオキシドを含むことができる。
一般に、構造(I)は１個の長鎖残基Ｒ１（ＥＯ）ｘ（ＰＯ）ｙ（ＢＯ）ｚと２個の短鎖残基ＣＨ２Ｒ′とを提供することが分かる。Ｒ′は、好ましくは水素、メチルおよび−ＣＨ２ＯＨから選択される。一般に、Ｒ１は、飽和または不飽和であることができる第一または分岐ヒドロカルビル残基であり、好ましくは、Ｒ１はは第一アルキル残基である。ｘ＋ｙ＋ｚ＝０であるときには、Ｒ１は鎖長が約８〜約１８であるヒドロカルビル残基である。ｘ＋ｙ＋ｚが０でないときには、Ｒ１は幾分長くてもよく、鎖長はＣ12〜Ｃ24の範囲である。この一般式は、アミンオキシド（但し、ｘ＋ｙ＋ｚ＝０、Ｒ１＝Ｃ８〜Ｃ18、Ｒ′＝Ｈおよびｑ＝０〜２、好ましくは２である）も包含する。これらのアミンオキシドは、Ｃ12〜Ｃ14アルキルジメチルアミンオキシド、ヘキサデシルジメチルアミンオキシド、オクタデシルアミンオキシドおよびそれらの水和物が挙げられ、具体的には米国特許第５，０７５，５０１号明細書および第５，０７１，５９４号明細書に開示されている二水和物が挙げられ、前記特許明細書の内容は、その開示の一部として本明細書に引用される。
本発明は、アミンオキシド（但し、ｘ＋ｙ＋ｚは０でなく、具体的にはｘ＋ｙ＋ｚは約１〜約１０であり、Ｒ１は８〜約２４個の炭素、好ましくは、約１２〜約１６個の炭素原子を有する第一級アルキル基である）も包含し、これらの態様において、ｙ＋ｚは好ましくは０であり、ｘは好ましくは約１〜約６であり、更に好ましくは約２〜約４であり、ＥＯはエチレンオキシであり、ＰＯはプロピレンオキシであり、ＢＯはブチレンオキシである。このようなアミンオキシドは、通常の合成法によって、例えばアルキルエトキシサルフェートとジメチルアミンとの反応の後、エトキシル化アミンの過酸化水素による酸化によって製造することができる。
本発明の極めて好ましいアミンオキシドは外界温度で固体であり、更に好ましくはそれらは融点が３０℃〜９０℃の範囲である。本発明で用いるのに好適なアミンオキシドは、Akzo Chemie、Ethyl Corp. およびProcter & Gambleなどの多数の供給業者によって商業的に製造されている。他のアミンオキシドの製造業者については、McCutcheonの編集物（McCutcheon's compilation）およびKirk-Othmerの総説文献を参照されたい。好ましい市販のアミンオキシドは、固体の二水和物、Ethyl Corp. 製のADMOX 16およびADMOX 18、ADMOX 12および特にADMOX 14である。
好ましい態様としては、ヘキサデシルジメチルアミンオキシド二水和物、オクタデシルジメチルアミンオキシド二水和物、ヘキサデシルトリス（エチレンオキシ）ジメチル−アミンオキシド、およびテトラデシルジメチルアミンオキシド二水和物が挙げられる。
好ましい態様のあるものでは、Ｒ′＝Ｈであるが、Ｈよりも若干大きなＲ′を有することに関して幾分かゆとりがある。具体的には、本発明は、Ｒ′＝ＣＨ２ＯＨである態様、例えばヘキサデシルビス（２−ヒドロキシエチル）アミンオキシド、獣脂ビス（２−ヒドロキシエチル）アミンオキシド、ステアリルビス（２−ヒドロキシエチル）アミンオキシド、およびオレイルビス（２−ヒドロキシエチル）アミンオキシドが挙げられる。
本発明の洗濯洗剤組成物は、その中に含まれる場合には、ノニオン性界面活性剤を、典型的にはアニオン性界面活性剤対ノニオン性界面活性剤の重量比が６：１〜１：３、好ましくは５：１〜２：１で含む。
本発明の洗濯洗剤組成物に用いるのに好適なカチオン性洗剤用界面活性剤は、１個の長鎖ヒドロカルビル基を有するものである。このようなカチオン性界面活性剤の例としては、アンモニウム界面活性剤、例えばアルキルジメチルアンモニウムハロゲニド、および式
［Ｒ２（ＯＲ３）ｙ］［Ｒ４（ＯＲ３）ｙ］２Ｒ５Ｎ＋Ｘ−
［前記式中、Ｒ２はアルキル鎖に約８〜約１８個の炭素原子を有するアルキルまたはアルキルベンジル基であり、それぞれのＲ３は−ＣＨ２ＣＨ２−、
−ＣＨ２ＣＨ（ＣＨ３）−、−ＣＨ２ＣＨ（ＣＨ２ＯＨ）−、
−ＣＨ２ＣＨ２ＣＨ２−、およびそれらの混合物からなる群から選択され、それぞれのＲ４はＣ１〜Ｃ４アルキル、Ｃ１〜Ｃ４ヒドロキシアルキル、２個のＲ４基を結合することによって形成されるベンジル環構造、
−ＣＨ２ＣＨＯＨ−ＣＨＯＨＣＯＲ６ＣＨＯＨＣＨ２ＯＨ  （式中、Ｒ６は分子量が約１０００未満の任意のヘキソースまたはヘキソースポリマー）、およびｙが０でない場合には水素からなる群から選択され、Ｒ５はＲ４と同一であるか、またはアルキル鎖であって、Ｒ２とＲ５との炭素原子の総数は約１８以下であり、それぞれのｙは０〜約１０であり、ｙの数値の和は０〜約１５であり、Ｘは任意の適合するアニオンである］を有する界面活性剤が挙げられる。
好ましいカチオン性界面活性剤は、式
Ｒ１Ｒ２Ｒ３Ｒ４Ｎ＋Ｘ−  (i)
（前記式中、Ｒ１はＣ８〜Ｃ16アルキルであり、Ｒ２、Ｒ３およびＲ４のそれぞれは独立してＣ１〜Ｃ４アルキル、Ｃ１〜Ｃ４ヒドロキシアルキル、ベンジル、および−（Ｃ２Ｈ４Ｏ）ｘＨ（但し、ｘは１〜５の数値を有し、Ｘはアニオンである）を有する本発明の組成物に用いられる水溶性の第四級アンモニウム化合物である。Ｒ２、Ｒ３およびＲ４の１個以下がベンジルとなるべきである。
Ｒ１に対する好ましいアルキル鎖長は、Ｃ12〜Ｃ15であり、特にアルキル基はココヤシまたはパーム核脂から誘導される鎖長の混合物であるか、またはオレフィン造成またはオキソアルコール合成によって合成的に誘導される。Ｒ２、Ｒ３およびＲ４についての好ましい基はメチルおよびヒドロキシエチル基であり、アニオンＸはハライド、メトスルフェート、アセテートおよびホスフェートイオンから選択することができる。
本発明で用いる式(i)の好適な第四級アンモニウム化合物の例は、
塩化または臭化ヤシ油トリメチルアンモニウム、
塩化または臭化ヤシ油メチルジヒドロキシエチルアンモニウム、
塩化デシルトリエチルアンモニウム、
塩化または臭化デシルジメチルヒドロキシエチルアンモニウム、
塩化または臭化Ｃ12〜15ジメチルヒドロキシエチルアンモニウム、
塩化または臭化ヤシ油ジメチルヒドロキシエチルアンモニウム、
ミリスチルトリメチルアンモニウムメチルスルフェート、
臭化または塩化ラウリルジメチルベンジルアンモニウム、
塩化または臭化ラウリルジメチル（エテンオキシ）４アンモニウム、
コリンエステル（式(i)の化合物であって、Ｒ１が−ＣＨ２−ＯＣ（Ｏ）−Ｃ12〜14アルキルであり、Ｒ２、Ｒ３、Ｒ４がメチルであるもの）
である。
本発明で用いられる他のカチオン性界面活性剤は、１９８０年１０月１４日発行のCambreの米国特許第４，２２８，０４４号明細書にも記載されている。
本発明の洗濯洗剤組成物を、本発明に含む場合には、これらのカチオン性界面活性剤を典型的には０．５重量％〜約５重量％、好ましくは約１重量％〜約３重量％を含む。
本発明による組成物は、更にビルダー系を含むこともできる。任意の通常のビルダー系、例えばアルミノケイ酸塩材料、ケイ酸塩、ポリカルボキシレートおよび脂肪酸、エチレンジアミン四酢酸塩のような材料、アミノポリホスホン酸塩、特にエチレンジアミン四メチレンホスホン酸およびジエチレントリアミン五メチレンホスホン酸のような金属イオン封鎖剤が、本発明で用いるのに好適である。明らかな環境上の理由から余り好ましくはないが、リン酸ビルダーを本発明で用いることもできる。
本発明で用いるのに好適なポリカルボキシレートビルダーとしては、クエン酸、好ましくは水溶性塩の形態ものもの、式Ｒ−ＣＨ（ＣＯＯＨ）ＣＨ２（ＣＯＯＨ）（前記式中、ＲはＣ10〜20アルキルまたはアルケニルであり、好ましくはＣ12〜16であり、またはＲはヒドロキシル、スルホスルホキシルまたはスルホン置換基で置換することができる）のコハク酸の誘導体が挙げられる。具体例としては、コハク酸ラウリル、コハク酸ミリスチル、コハク酸パルミチル、コハク酸＝２−ドデセニル、コハク酸＝２−テトラデセニルが挙げられる。コハク酸ビルダーは、その水溶性塩、例えばナトリウム、カリウム、アンモニウム、およびアルカノールアンモニウム塩の形態で用いるのが好ましい。
他の好適なポリカルボキシレートは、米国特許第４，６６３，０７１号明細書に記載されているようなオキソ二コハク酸塩、および酒石酸一コハク酸および酒石酸二コハク酸の混合物である。
特に、本発明の液体実施については、本発明で用いられる好適な脂肪酸ビルダーは、飽和または不飽和のＣ10〜18脂肪酸、並びに相当する石鹸である。好ましい飽和の化合物種は、アルキル鎖に１２〜１６個の炭素原子を有する。好ましい不飽和脂肪酸は、オレイン酸である。
液体組成物についての他の好ましいビルダー系は、ドデセニルコハク酸およびクエン酸を基剤とするものである。
洗浄力ビルダー塩は、通常は、組成物の３重量％〜５０重量％、好ましくは５重量％〜３０重量％、最も好ましくは５重量％〜２５重量％の量で含まれる。
洗剤組成物に用いられる他の成分、例えば、そのための酵素および安定剤、汚れ沈殿防止剤、再付着防止ポリマー、研磨剤、殺菌剤、曇り抑制剤、着色料、起泡調節剤、腐蝕抑制剤、および香料を用いることができる。
本発明による液体組成物は、「濃縮した形態」であるのが好ましく、このような場合には、本発明による液体洗剤組成物は、通常の液体洗剤と比較して少量の水を含む。水の濃度は、水が洗剤組成物の５０重量％未満、好ましくは３０重量％未満、更に好ましくは２０重量％未満である。
前記の濃縮生成物は、消費者に対しては、使用量を少なくすることができる生成物を有し、または生産者に対しては、輸送経費が少なくなるという利点を提供する。
液体組成物は、前処理段階で汚れや染みに直接適用するときに、特に有効である。本発明の洗剤組成物は、洗剤添加生成物として用いることもできる。このような添加生成物は、通常の洗剤組成物の性能を補足しまたは増強するためのものである。
本発明による洗剤組成物としては、布帛、繊維、硬質表面、皮膚などの基材のクリーニングに用いるための組成物、例えば、硬質表面クリーニング組成物（研磨剤を含むまたは含まない）、洗濯洗剤組成物、自動および非自動食器洗浄組成物が挙げられる。
下記の実施例は、本発明の組成物を例示しようとするものであるが、必ずしも本発明の範囲を限定することを意味するものではない。
実施例Ｉ
下記の液体洗剤組成物を製造する。
0004063866.tif 000003